(57)【要約】      （修正有）【課題】ケーシングに内側から係止された透過窓部材がケーシングの外側から内側に押し込まれた際に、被係合部が係合部から外れて、ケーシングから透過窓部材が脱落することを抑制できる電子機器を提供する。【解決手段】ケーシングに光信号の送受信を行う電子部品を内蔵し、ケーシングの開口部には光信号を透過する透過窓部材が着脱可能に係止されている電子機器であって、ケーシングの内側に設けられた係合部２３０と、透過窓部材に弾性変形可能に設けられた、係合部と係合する被係合部４３０と、を有する。透過窓部材をケーシングの内側から外側へと向かって移動させることで、被係合部４３０が弾性変形して係合突起２３１と被係合突起４３２とが係合されて開口部に透過窓部材が係止されており、ケーシングの内側には、透過窓部材を外側から内側へ向けて押しこんでも被係合部４３０の弾性変形を抑制する変形防止部（リブ２４０）を有する。【選択図】図５
2017135231.tif 000002
【特許請求の範囲】
【請求項１】
ケーシング内に光信号の送信および／又は受信を行う電子部品を内蔵しており、前記ケーシングの開口部には光信号を透過する透過窓部材が着脱可能に係止されている電子機器であって、
前記ケーシングの内側に設けられ、係合突起が先端に形成されている係合部と、前記透過窓部材に弾性変形可能に設けられ、前記係合突起と係合する被係合突起が先端に形成されている被係合部と、を有し、
前記透過窓部材を前記ケーシングの内側から外側へと向かって移動させることによって、前記被係合部が弾性変形して前記係合突起と前記被係合突起とが係合されて前記開口部に前記透過窓部材が係止されており、
前記ケーシングの内側には、前記透過窓部材を前記ケーシングの外側から内側へ向けて押しこんだとしても前記被係合部の弾性変形を抑制する変形防止部を有する電子機器。
【請求項２】
前記変形防止部は板状のリブであり、
前記透過窓部材を前記ケーシングの内側から外側へと向かって移動させることによって、前記被係合部が弾性変形して前記リブの長辺側に当接して前記リブが弾性変形可能であり、
前記係合突起と前記被係合突起とが係合された状態では前記被係合部が前記リブの短辺側に当接することで、前記透過窓部材を前記ケーシングの外側から内側へ向けて押しこんだとしても前記被係合部の弾性変形を抑制する請求項１記載の電子機器。
【請求項３】
前記リブの先端には、前記透過窓部材を前記ケーシングの内側から外側へと向かって移動させたときに前記被係合部を誘導する傾斜面が形成されている請求項２記載の電子機器。
【発明の詳細な説明】
【技術分野】
【０００１】
本発明は、ケーシングの開口部に光信号を透過する透過窓部材が着脱可能に係止されている電子機器に関する発明である。
【背景技術】
【０００２】
従来から、部外者がいたずら等で勝手に取り外すことができず、且つ、ビスなどの別部品を使用せずに、製品の外観に出る透過窓部材を安価にケーシングに係止する方法として、ケーシングの内側に設けた係合部と透過窓部材に設けた係合部と係合する被係合部等の被係合部とを係合することで係止する方法がある。また、ケーシングの内側から係止することで透過窓部材のケーシングへののり代を内側に設けることができ、ケーシングの開口部の形状を小さくすることができる。（例えば、特許文献１参照）
【先行技術文献】
【特許文献】
【０００３】
【特許文献１】特開２０１５−６８０８７号公報
【発明の概要】
【発明が解決しようとする課題】
【０００４】
しかしながら、例えば特許文献１のような場合、ケーシングの内側から係止した透過窓部材は、ケーシング外側から内側に向けて押し込まれると被係合部がたわみ、係合部から被係合部が外れて透過窓部材がケーシングから脱落してしまうという問題があった。
【０００５】
そこで、本発明は、上記問題を解決するためになされたもので、本発明の課題は、ケーシングに内側から係止された透過窓部材がケーシングの外側から内側に押し込まれた際に、被係合部が係合部から外れて、ケーシングから透過窓部材が脱落することを抑制できる電子機器を実現するものである。
【課題を解決するための手段】
【０００６】
上記の目的を達成するために、本発明においては、ケーシング内に光信号の送信および／又は受信を行う電子部品を内蔵しており、前記ケーシングの開口部には光信号を透過する透過窓部材が着脱可能に係止されている電子機器であって、前記ケーシングの内側に設けられ、係合突起が先端に形成されている係合部と、前記透過窓部材に弾性変形可能に設けられ、前記係合突起と係合する被係合突起が先端に形成されている被係合部と、を有し、前記透過窓部材を前記ケーシングの内側から外側へと向かって移動させることによって、前記被係合部が弾性変形して前記係合突起と前記被係合突起とが係合されて前記開口部に前記透過窓部材が係止されており、前記ケーシングの内側には、前記透過窓部材を前記ケーシングの外側から内側へ向けて押しこんだとしても前記被係合部の弾性変形を抑制する変形防止部を有する。
【０００７】
このように構成された本発明においては、被係合部の弾性変形を抑制する変形防止部があるため、ケーシングに内側から係止された透過窓部材に外側から内側に余計な押し込み圧力がかかった際に、被係合部と係合部との係合が外れるのを抑制することができる。
【０００８】
本発明において、好ましくは、前記変形防止部は板状のリブであり、前記透過窓部材を前記ケーシングの内側から外側へと向かって移動させることによって、前記被係合部が弾性変形して前記リブの長辺側に当接して前記リブが弾性変形可能であり、前記係合突起と前記被係合突起とが係合された状態では前記被係合部が前記リブの短辺側に当接することで、前記透過窓部材を前記ケーシングの外側から内側へ向けて押しこんだとしても前記被係合部の弾性変形を抑制する。
【０００９】
このように構成された本発明においては、透過窓部材を取り付ける際には、リブが被係合部の弾性変形に伴って弾性変形することで、簡単に透過窓部材の取り付けを行うことができ、且つ、透過窓部材がケーシングに係合している際には、リブの短辺側が被係合部と当接しており、リブの短辺側で被係合部から荷重を受けることができるので、リブは変形しにくく、簡単な構成で被係合部の変形を抑制することができる。
【００１０】
本発明において、好ましくは、前記リブの先端には、前記透過窓部材を前記ケーシングの内側から外側へと向かって移動させたときに前記被係合部を誘導する傾斜面が形成されている。
【００１１】
このように構成された本発明においては、傾斜面により、被係合部の変形方向が傾斜面に沿って誘導されるので、予期せぬ方向に被係合部が変形し、透過窓部材とケーシングが係合できないことを防止することができる。
【発明の効果】
【００１２】
本発明によれば、ケーシングに内側から係止された透過窓部材がケーシングの外側から内側に押し込まれた際に、被係合部が係合部から外れて、ケーシングから透過窓部材が脱落することを抑制できるという効果がある。
【図面の簡単な説明】
【００１３】
【図１】本発明の実施形態における衛生洗浄装置全体を示す斜視図である。
【図２】図１のＡ−Ａ線に沿って見たケーシング内部のみの拡大斜視図である。
【図３】本発明の実施形態における透過窓部材の斜視図である。
【図４】図１のＡ−Ａ線に沿って見たケーシング内部の拡大斜視図である。
【図５】図４における後方係合部のＰ視拡大斜視図である。
【図６】透過窓部材がケーシングに嵌め込まれる途中状態の拡大斜視図である。
【発明を実施するための形態】
【００１４】
本発明の実施形態における電子機器としての衛生洗浄装置について、その全体構成について図１を用いて説明を行う。図１は、本発明の実施形態における衛生洗浄装置全体を示す斜視図である。
【００１５】
図１に示すように、本実施形態の衛生洗浄装置１００（電子機器）は、洋風腰掛大便器上に配置されるものであり、ケーシング２００と、ケーシング２００に対して回動自在に軸支されている便座３００と、を有する。また、衛生洗浄装置１００は、便蓋を設けてもよく、便蓋が設けられる場合には、便蓋は、便座３００と同様にケーシング２００に対して回動自在に軸支される。
【００１６】
なお、本願明細書においては、便座３００に座った使用者からみて上方を「上方」とし、便座３００に座った使用者からみて下方を「下方」とする。また、便座３００に座った使用者からみて前方を「前方」とし、便座３００に座った使用者からみて後方を「後方」とする。また、便座３００に座った使用者からみて右側を「右側方」とし、便座３００に座った使用者からみて左側を「左側方」とする。
【００１７】
ケーシング２００の内部には、便座３００に座った使用者の「おしり」などの洗浄を実現する局部洗浄機能部などが内蔵されている。
局部洗浄機能部としては、具体的な構成について周知であるため図示は省略するが、外部からの給水をオンオフする開閉弁と、給水された水をたし加熱する温水ヒータと、加熱された温水を便座３００に着座した使用者の局部に向けて噴出する洗浄ノズルと、によって構成されている。
【００１８】
ケーシング２００に便座３００が軸支されている位置より前方の左側方には、開口部２１０が形成されており、この開口部２１０には、透過窓部材４００が着脱可能にケーシング２００の内側から係止されている。
【００１９】
ケーシング２００の内側の形状および透過窓部材４００の形状について、図２〜図５を用いて説明を行う。図２は、図１のＡ−Ａ線に沿って見たケーシング内部のみの拡大斜視図である。図３は、透過窓部材の斜視図である。図４は、図１のＡ−Ａ線に沿って見たケーシング内部の拡大斜視図である。図５は、図４における後方係合部のＰ視拡大斜視図である。
【００２０】
図２に示すように、ケーシング２００の内側において、開口部２１０の前方側には、
前方係合部２２０が設けられている。この前方係合部２２０は、ケーシング２００の内側面から後方に向けて形成されている。
また、開口部２１０の後方側には、後方係合部２３０（係合部）が設けられている。この後方係合部２３０は、ケーシング２００の内側面から下方に向けて形成されている。
後方係合部２３０の先端には、係合突起２３１が設けられている。この係合突起２３１は、後方係合部２３０の先端から前方に向けて形成されている。
この前方係合部２２０及び後方係合部２３０によって、透過窓部材４００をケーシング２００に係止することができる。
【００２１】
また、ケーシング２００の内側において、開口部２１０の後方側には、ケーシング２００と透過窓部材４００との係合が外れることを防止するリブ２４０（変形防止部）が設けられている。
リブ２４０は、ケーシング２００の内側面から下方に形成された短辺と長辺を有する板状であり、左右側方（長辺側）に弾性変形することができる。
また、リブ２４０の下端には、左側方から右側方に傾斜するテーパー２４１（傾斜面）が形成されている。
【００２２】
図３に示すように、透過窓部材４００は、赤外線信号（光信号）を透過する透過窓４１０と、透過窓４１０の周辺を囲む縁部４２０とを、有する。
透過窓部材４００には、人体検知センサ５００（電子部品）が内蔵されており、洋風腰掛大便器の前方にいる使用者、すなわち便座３００から前方へ離間した位置に存在する使用者を検知することができる。この人体検知センサ５００としては、赤外線投受光式の測距センサを用いている。
透過窓部材４００は、透過窓４１０を介して、ケーシング２００内に内蔵された測距センサからの赤外線信号の送信および／又は受信を行い、人体検知を行うことができる。
本実施形態において、透過窓部材４００に人体検知センサ５００が内蔵されているが、透過窓部材４００と人体検知センサ５００は別体で設けてもよく、ケーシング２００内に人体検知センサ５００単体を取り付けてもよい。
また、透過窓部材４００の後端部には、ケーシング２００と透過窓部材４００を係止するためのフック状の被係合部４３０が形成されている。
【００２３】
透過窓４１０は、開口部２１０の形状と一致する形状であり、透過窓部材４００がケーシング２００に係止された状態において、開口部２１０に埋め込まれるように配置される。つまり、透過窓４１０は、ケーシング２００の上面と共に衛生洗浄装置１００の外観を形成する。
縁部４２０は、透過窓４１０の上面よりも一段下方に落ち込んで形成されている。
透過窓部材４００がケーシング２００に係止された状態において、縁部４２０は、ケーシング２００の内側面と当接する。
被係合部４３０は、透過窓部材４００の後端部から上方に形成され、前後方向に弾性変形可能な弾性変形部４３１と、弾性変形部４３１の上方先端から後方に形成された被係合突起４３２と、を有する。
【００２４】
図４に示されるように、透過窓部材４００がケーシング２００に係止された状態において、縁部４２０の前端部４２１が、前方係合部２２０と係合されている。
縁部４２０の上面は、ケーシング２００の内側面と当接している。
【００２５】
図４及び図５に示すように、透過窓部材４００がケーシング２００に係止された状態において、被係合突起４３２が、係合突起２３１と係合されている。
リブ２４０は、その短辺側が被係合部４３０の弾性変形部４３１の後方面と当接している。
そのため、ケーシング２００に内側から係止された透過窓部材４００が上方（外側）から下方（内側）へ押し込まれた場合でも、リブ２４０が被係合部４３０の弾性変形を抑制し、透過窓部材４００がケーシング２００から外れてしまうことを防止することができる。
【００２６】
次に、透過窓部材４００のケーシング２００への取り付け方法、及び、透過窓部材４００がケーシング２００に係止される途中状態の説明について、図６を用いて行う。図６は、透過窓部材がケーシングに嵌め込まれる途中状態の拡大斜視図である。
【００２７】
ケーシング２００に透過窓部材４００を取り付ける際は、透過窓部材４００の縁部４２０の前端部４２１をケーシング２００の前方係合部２２０に引っ掛けた状態で、透過窓部材４００をケーシング２００の下方（内側）から上方（外側）へ移動させ、透過窓４１０をケーシング２００の開口部２１０に嵌め込む。
【００２８】
透過窓部材４００がケーシング２００に嵌め込まれ始めの状態において、係合突起２３１の前端部と被係合突起４３２の後端部とが当接することで弾性変形部４３１が前方に弾性変形する。
弾性変形部４３１が前方に弾性変形することに伴って、被係合部４３０の右側方面がリブ２４０の左側方面に当接される。
また、リブ２４０は、被係合部４３０の右側方面がリブ２４０の左側方面に当接され始めた状態のとき、テーパー２４１により、被係合部４３０の弾性変形の方向を誘導する。
【００２９】
嵌め込まれ始めの状態から透過窓部材４００がケーシング２００の下方（内側）から上方（外側）に移動すると、図６に示すように、透過窓部材４００がケーシング２００に嵌め込まれる途中状態になる。
図６に示すように、透過窓部材４００がケーシング２００に嵌め込まれる途中状態において、被係合部４３０は、係合突起２３１の前端部及びリブ２４０の左側方面と当接されながら上方に移動する。そのとき、弾性変形部４３１が前方に弾性変形した状態で上方に移動することに伴って、リブ２４０は、被係合部４３０の弾性変形と直交する右側方向に弾性変形する。
つまり、透過窓部材４００をケーシング２００に嵌め込む途中状態では、被係合部４３０は、リブ２４０の左側方面にガイドされながら嵌め込まれていき、被係合部４３０の上方への移動に伴って、リブ２４０は、右側方向に弾性変形するため、被係合部４３０は、後方係合部２３０に円滑に係合される。
【００３０】
透過窓部材４００がさらにケーシング２００の下方（内側）から上方（外側）に押し込まれると、係合突起２３１の前端部と被係合突起４３２の後端部との当接が終わり、それに伴い弾性変形部４３１がもとに戻ることで、被係合突起４３２が係合突起２３１に係合され、前述した図５に示すような透過窓部材４００がケーシング２００に係止された状態になる。
この際、リブ２４０は、弾性変形部４３１がもとに戻ることに伴い、リブ２４０の弾性変形ももとに戻り、被係合部４３０の弾性変形部４３１の前方面と当接される。
【００３１】
ケーシング２００から透過窓部材４００を取り外す際は、ドライバーなどでリブ２４０を押え、リブ２４０を被係合部４３０と干渉しない右側方向に弾性変形させながら、被係合部４３０を係合突起２３１から外し、透過窓部材４００を下方（内側）に引き出すことで離脱させる。
【００３２】
以上のように、本発明の衛生洗浄装置１００によれば、ケーシング２００に内側から透過窓部材４００が係止された状態において、透過窓部材４００がケーシング２００の上方（外側）から下方（内側）に押し込まれた際に、被係合部４３０が後方係合部２３０から外れて、ケーシング２００から透過窓部材４００が脱落することを抑制できる。
【００３３】
以上、本発明の実施形態について説明したが、本発明はこれらの記述に限定されるものではない。例えば、実施例においては衛生洗浄装置を用いて説明を行ったが、実施例はこれに限定されない。つまり、ケーシングの開口部に透過窓部材が着脱可能に係止されている電子機器、例えば、リモコン装置などでもよい。
また、赤外線センサは測距センサとして用いられるもの以外でもよく、赤外線信号を送受信するものであればよい。
【符号の説明】
【００３４】
１００・・・衛生洗浄装置
２００・・・ケーシング
２１０・・・開口部
２２０・・・前方係合部
２３０・・・後方係合部
２３１・・・係合突起
２４０・・・リブ
２４１・・・テーパー
３００・・・便座
４００・・・透過窓部材
４１０・・・透過窓
４２０・・・縁部
４２１・・・前端部
４３０・・・被係合部
４３１・・・弾性変形部
４３２・・・被係合突起
５００・・・人体検知センサ
【図１】
2017135231.tif 000003
【図２】
2017135231.tif 000004
【図３】
2017135231.tif 000005
【図４】
2017135231.tif 000006
【図５】
2017135231.tif 000007
【図６】
2017135231.tif 000008